(57)【要約】【課題】    障子の面材の端面が長時間に渡って湿気に曝されることがなく、面材の劣化を防止することができる建具を提供すること。【解決手段】上框２１、下框２２、および左右の縦框の框材本体２１Ａ，２２Ａにおける見付け面部２１１，２２１に複層ガラス２５の四周を接着して複層ガラス２５を固定し、複層ガラス２５の四周端面（エッジ）と見込み面部２１２，２２２との間に、室外空間に連通された隙間２１Ｄ，２２Ｄを設けた。従って、複層ガラス２５の端面部分が長時間湿気に曝されることがなく乾燥させておくことができるので、連結シール材２５Ｄの劣化を防止することができる。さらに接着力によって上下左右の各框２１，２２および複層ガラス２５を一体化することができ、障子２０の組立工程を簡略化してコストダウンを図ることができる。【選択図】  図７
2006057349.tif 000002
【特許請求の範囲】
【請求項１】
枠体と、この枠体に支持される障子とを備えた建具であって、
前記障子は、上框、下框、および左右の縦框と、室内外に対向配置された少なくとも二枚のパネル材を有した面材とを備えて構成され、
前記上下左右の各框材は、それぞれ見付け方向に延びる見付け面部と、この見付け面部の外端縁から見込み方向室外側に延出する見込み面部とを有して形成され、
前記面材は、前記パネル材の室内面が前記見付け面部の室外面に接着されて前記各框材に固定され、当該面材の四周端面と前記各框材の見込み面部との間には、室外空間に連通された隙間が設けられている建具。
【請求項２】
前記面材は、前記パネル材同士が空気層を介して対向配置され、当該パネル材の四周端縁が連結材により連結されて前記空気層が密閉された複層面材である請求項１に記載の建具。
【請求項３】
前記面材は、前記各框材の見付け面部に四周連続して貼付けた接着テープにより接着されている請求項１または請求項２に記載の建具。
【請求項４】
前記各框材は、前記見込み面部の室外側端縁から見付け方向内側に向かって延び、かつ前記面材の室外面に隙間を介して対向する折返し面部を有して形成されている請求項１から請求項３のいずれかに記載の建具。
【請求項５】
前記上下左右の各框材のうちの少なくとも三辺における前記折返し面部は、前記見込み面部に対して着脱可能に設けられている請求項４に記載の建具。
【請求項６】
前記上下左右の各框材のうち少なくとも一つは、前記見付け面部および見込み面部の少なくとも一方により一辺が構成された中空部を有して形成されている請求項１から請求項５のいずれかに記載の建具。
【請求項７】
前記障子は、前記枠体内の室内側および室外側にそれぞれスライド自在に支持された引き違い形式の障子であって、
前記枠体は、上枠、下枠、および左右の縦枠を四周枠組みして形成され、これら上下左右の各枠材の見込み方向略中央には、それぞれ見付け方向内側に突出した突出片が当該各枠の長手方向略全長に渡って形成され、
前記上枠の突出片と、前記室外側障子の上框室内面および前記室内側障子の上框室外面とのいずれか一方には、他方に摺接する上気密材が設けられ、
前記下枠の突出片と、前記室外側障子の下框室内面および前記室内側障子の下框室外面とのいずれか一方には、他方に摺接する下気密材が設けられ、
前記室内側障子の戸先側縦框に対応した縦枠の突出片と、当該室内側障子の戸先側縦框室外面とのいずれか一方には、他方に当接する縦気密材が設けられ、
前記室外側障子の戸先側縦框に対応した縦枠の突出片と、当該室外側障子の戸先側縦框室内面とのいずれか一方には、他方に当接する縦気密材が設けられ、
前記室内外の各障子における召合せ側縦框の一方には、当該各障子を閉じた際に他方に当接する縦気密材が設けられている請求項１から請求項６のいずれかに記載の建具。
【発明の詳細な説明】
【技術分野】
【０００１】
本発明は、枠体と、この枠体に支持される障子とを備えた建具に関し、詳しくは、引き違い窓、片引き窓、開き窓、辷り出し窓、嵌め殺し窓等の各種形式のサッシ窓としての建具や、引き戸、開き戸等の各種出入り口としての建具に関する。
【背景技術】
【０００２】
従来より、サッシ窓や出入り口において、上下左右の框材を四周框組した内部に複層ガラスや合せガラス等の面材を嵌め込んで構成された障子が多用されている。そして、障子における面材の支持構造としては、各框材の見付け方向内側に形成した断面略凹状の面材保持部に、シール性を有したガスケットを介して面材の四周を保持したものが一般的である（例えば、特許文献１参照）。このようなガスケットは、断面略コ字形に形成され、面材の表裏面に密接するシール片（リップ片）を有しており、面材と框材との間がガスケットでシールされることによって障子の気密性および水密性が確保できるようになっている。
【０００３】
【特許文献１】特開２００１−１５９２７３号公報
【発明の開示】
【発明が解決しようとする課題】
【０００４】
しかしながら、従来の障子では、ガスケットにより框材の面材保持部が密閉されていることで面材保持部内に雨水等が入り込まないようになっているものの、万一、面材保持部内に雨水等が入り込んだ場合には、入り込んだ雨水等が面材保持部から排出されにくく、面材の端面部分が長時間に渡って湿気に曝されることになってしまう。このため、特に、面材が空気層を介して対向したガラスパネルの四周端縁を連結シール材により連結した複層ガラスである場合には、端面部分の連結シール材が水分により劣化しやすくなり、空気層の密閉状態を維持することができなくなる等の不都合が生じる可能性がある。また、面材が複数枚のガラスパネルを樹脂フィルムを介して張り合わせた合せガラスである場合には、端面部分からガラスパネルと樹脂フィルムとの間に水分が浸入してしまう可能性がある。
以上のように、従来の面材支持構造において面材として複層ガラスや合せガラス等を用いる場合には、面材の端面部分が湿気に曝される可能性があり、これら面材の劣化のおそれがあり、その解決が望まれていた。
【０００５】
本発明の目的は、障子の面材の端面が長時間に渡って湿気に曝されることがなく、面材の劣化を防止することができる建具を提供することにある。
【課題を解決するための手段】
【０００６】
本発明の建具は、枠体と、この枠体に支持される障子とを備えた建具であって、前記障子は、上框、下框、および左右の縦框と、室内外に対向配置された少なくとも二枚のパネル材を有した面材とを備えて構成され、前記上下左右の各框材は、それぞれ見付け方向に延びる見付け面部と、この見付け面部の外端縁から見込み方向室外側に延出する見込み面部とを有して形成され、前記面材は、前記パネル材の室内面が前記見付け面部の室外面に接着されて前記各框材に固定され、当該面材の四周端面と前記各框材の見込み面部との間には、室外空間に連通された隙間が設けられていることを特徴とする。
【０００７】
このような構成によれば、框材の見付け面部および見込み面部によって見付け方向内方および室外側に開口した断面略Ｌ字形の面材支持部が構成され、この面材支持部の見付け面部に室内面を接着することにより面材が各框材に固定される。そして、固定された面材の四周端面と各框材の見込み面部との間に隙間を設け、この隙間と室外空間とが連通されていることで、隙間に雨水等が浸入したとしても、浸入した雨水等が即座に室外に排出される、あるいは蒸発して室外空間に発散するので、面材の端面部分が湿気に曝されることがない。従って、面材の端面部分を乾燥させておくことができるので、面材として複層ガラスや合せガラス等を用いた場合でも、これら面材の劣化を防止することができる。
さらに、面材の端面に沿って框材の見込み面部が配置されるので、この見込み面部がカバー材として機能し、風雨や直射日光から面材の端面を保護することができる。
また、接着により面材を框材に固定することで、従来の障子における框材のようにビス止めにより框組みする必要がなく、接着力によって各框材および面材を一体化することができ、障子の組立工程を簡略化することができる。さらに、各框材および面材が接着により一体化されることで、ガスケットを介して面材が框材に支持される従来の障子と比較して、障子の面内剛性が飛躍的に向上されて開閉時等のがたつきを防止することができる。
【０００８】
この際、本発明の建具では、前記面材は、前記パネル材同士が空気層を介して対向配置され、当該パネル材の四周端縁が連結材により連結されて前記空気層が密閉された複層面材であることが好ましい。
このような構成によれば、面材として複層面材（例えば、複層ガラス）を用いることで、障子の断熱性や遮音性を向上させることができるとともに、前述したように複層面材の連結材の劣化を防止して、空気層の密閉性を確保することができる。
なお、複層面材としては、パネル材として複数のガラスパネルを用いたものでもよく、またガラスパネルとアクリル等の樹脂パネルとを用いたものでもよく、それらのパネル材の枚数は二枚に限らず三枚以上であってもよい。また、複層面材の空気層としては、乾燥空気を密封したものでもよく、またアルゴンガス等の断熱性に優れた（熱伝導率の低い）ガスを密封したものでもよい。
【０００９】
また、本発明の建具では、前記面材は、前記各框材の見付け面部に四周連続して貼付けた接着テープにより接着されていることが好ましい。
このような構成によれば、四周連続した接着テープにより面材を各框材に接着することで、通常の接着剤を用いて接着する場合と比較して接着作業が簡単にできるとともに、接着と同時に框材と面材との間のシールが完了するため、障子の組立工程をより一層簡略化することができる。
【００１０】
さらに、本発明の建具では、前記各框材は、前記見込み面部の室外側端縁から見付け方向内側に向かって延び、かつ前記面材の室外面に隙間を介して対向する折返し面部を有して形成されていることが好ましい。
このような構成によれば、折返し面部によって面材の四周室外側端縁が覆われることで、面材の端面と框材の見込み面部との隙間に雨水等が浸入するのを防止することができるとともに、室外側から見た場合の障子の外観を良好にすることができる。また、折返し面部と面材の室外面との間に隙間を設けることで、面材の端面部分と室外空間との連通を阻害することがないため、前述のように面材の端面部分を乾燥させておくことができる。さらに、折返し面部は、面材を支持するものではないため、従来の障子における框材の見付け寸法よりも折返し面部の見付け寸法を小さくするとともに、折返し面部と面材の室外面との段差を小さくすることが可能であり、框材を目立たせずに面材のフラット感を強調して外観意匠性に優れた障子を形成することができる。
【００１１】
この際、本発明の建具では、前記上下左右の各框材のうちの少なくとも三辺における前記折返し面部は、前記見込み面部に対して着脱可能に設けられていることが好ましい。
このような構成によれば、障子の組立の際に、三辺の折返し面部を取り外しておくことで容易に面材を框材の見付け面部に接着固定することができる。
【００１２】
また、本発明の建具では、前記上下左右の各框材のうち少なくとも一つは、前記見付け面部および見込み面部の少なくとも一方により一辺が構成された中空部を有して形成されていることが好ましい。
このような構成によれば、框材が中空部を有することで、框材の剛性および強度を向上させることができる。特に、引き違い窓において障子の自重を下枠に伝達する下框や、風圧による荷重が大きく作用する召合せ部の縦框に中空部を形成すること有効である。また、見付け面部により中空部の一辺を構成する、つまり見付け面部室内側に中空部を形成するようにすれば、框材の見付け寸法が拡大することなく框材の剛性および強度が高められるので、障子の外観意匠性をさらに向上させることができる。
【００１３】
また、本発明の建具では、前記障子は、前記枠体内の室内側および室外側にそれぞれスライド自在に支持された引き違い形式の障子であって、前記枠体は、上枠、下枠、および左右の縦枠を四周枠組みして形成され、これら上下左右の各枠材の見込み方向略中央には、それぞれ見付け方向内側に突出した突出片が当該各枠の長手方向略全長に渡って形成され、前記上枠の突出片と、前記室外側障子の上框室内面および前記室内側障子の上框室外面とのいずれか一方には、他方に摺接する上気密材が設けられ、前記下枠の突出片と、前記室外側障子の下框室内面および前記室内側障子の下框室外面とのいずれか一方には、他方に摺接する下気密材が設けられ、前記室内側障子の戸先側縦框に対応した縦枠の突出片と、当該室内側障子の戸先側縦框室外面とのいずれか一方には、他方に当接する縦気密材が設けられ、前記室外側障子の戸先側縦框に対応した縦枠の突出片と、当該室外側障子の戸先側縦框室内面とのいずれか一方には、他方に当接する縦気密材が設けられ、前記室内外の各障子における召合せ側縦框の一方には、当該各障子を閉じた際に他方に当接する縦気密材が設けられていることが好ましい。
【００１４】
このような構成によれば、一対の障子を備えた引き違い形式の窓や戸において、上下左右の各枠材に形成した突出片と室内外の障子の各框材との間に設けた上下および縦の気密材、および召合せ側縦框（召合せ框）同士の間に設けた縦気密材によって、縦横に連続した気密ラインを形成することができ、建具の気密、水密性能を確保することができる。そして、このような引き違い形式の建具は、室内外の障子を閉じた状態で召合せ框に設けたクレセントによって施錠され、この施錠状態においては、室内外の障子が互いに近づく方向に引き寄せられるため、前述の縦および横気密材と各枠材または各框材とが密着されることで、気密、水密性をより高めることができる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１は、本発明の第１実施形態に係る建具である引違い窓１を示す縦断面図である。図２は、引違い窓１を示す横断面図である。図３は、引違い窓１の上枠部分を拡大して示す縦断面図である。図４は、引違い窓１の下枠部分を拡大して示す縦断面図である。図５および図６は、それぞれ引違い窓１の縦枠部分を拡大して示す横断面図である。図７は、引違い窓１の障子２０を拡大して示す縦断面図である。図８は、引違い窓１の障子２０を拡大して示す横断面図である。
図１、図２において、引違い窓１は、建物の外壁２に設けられた開口部３に設けられ、外壁２を構成する躯体としての壁パネル４、および内装材５の下地材６や額縁材７に固定されている。
【００１７】
引違い窓１は、上枠１１、下枠１２、および左右の縦枠１３を四周枠組みした窓枠（枠体）１０と、この窓枠１０の内側に開閉自在に支持された室内外一組の障子２０とを備えて構成されている。障子２０は、上框２１、下框２２、および左右の縦框２３，２４と、これら上下左右の框（各框材）２１〜２４に固定された面材としての複層ガラス２５とを備えて構成されている。
一組の障子２０は、室内側の障子２０Ａと、室外側の障子２０Ｂとが、それぞれ窓枠１０内において左右にスライド自在に支持されるとともに、窓枠１０の見付け方向（図２中、左右方向）略中央位置の召合せ部分２６で重なって閉じるようになっている。そして、室内外の障子２０Ａ，２０Ｂは、召合せ部分２６の縦框（召合せ框）２３に設けられた引戸錠であるクレセント２７により施錠できるようになっている。このように障子２０を閉じた状態において、縦框（戸先框）２４と縦枠１３に設けたＡＴ材（縦気密材）１３６とが当接して引違い窓１の気密性が確保されるようになっている。
【００１８】
次に、窓枠１０および障子２０の構成について、図３〜図８に基づいて詳しく説明する。
窓枠１０の上枠１１、下枠１２、および左右の縦枠１３は、それぞれアルミ押出形材製の室内部材１１Ａ，１２Ａ，１３Ａおよび室外部材１１Ｂ，１２Ｂ，１３Ｂと、これらを連結する樹脂製の連結部材１１Ｃ，１２Ｃ，１３Ｃとを有して形成されている。
障子２０の上框２１、下框２２、および左右の縦框２３，２４は、それぞれアルミ押出形材製の框材本体２１Ａ，２２Ａ，２３Ａ，２４Ａと、框材本体２１Ａ，２２Ａ，２３Ａ，２４Ａの室内側に設けられる樹脂製の室内部材２１Ｂ，２２Ｂ，２３Ｂ，２４Ｂとを有して構成されている。そして、上框２１、下框２２、および縦框２３，２４は、図示しないコーナー部材により連結されており、下框２２と縦框２３，２４とを連結するコーナー部材に戸車２８が内蔵されている。
また、障子２０の複層ガラス２５は、室内側のガラスパネル（パネル材）２５Ａおよび室外側のガラスパネル（パネル材）２５Ｂからなる二枚のガラスパネル２５Ａ，２５Ｂ同士が空気層２５Ｃを介して対向配置され、ガラスパネル２５Ａ，２５Ｂの四周端縁が連結シール材２５Ｄにより連結されて空気層２５Ｃが密閉された複層面材である。
なお、面材としては、複層ガラス２５に限らず、二枚以上の複数枚のガラスパネルを樹脂フィルムを介して張り合わせた合せガラスであってもよい。
【００１９】
図３に示すように、上枠１１の室内部材１１Ａは、外壁２の開口部３の上縁に沿って見込み方向に延びる見込み片部１１１と、この見込み片部１１１から下方に延びて室内側障子２０Ａの上框２１を案内する案内片部１１２とを有して形成されている。そして、室内部材１１Ａは、内装材５の下地材６および額縁材７にビス止め固定されている。
一方、上枠１１の室外部材１１Ｂは、開口部３の上縁に沿って見込み方向に延びる見込み片部１１３と、この見込み片部１１３から下方（見付け方向内側）に突出する突出片部１１４と、見込み片部１１３から下方に延びて室外側障子２０Ｂの上框２１を案内する案内片部１１５と、見込み片部１１３の室外側縁から上方に延びる固定片部１１６とを有して形成されている。突出片部１１４は、上枠１１の見込み方向略中央位置である室内外の障子２０Ａ，２０Ｂの間に挿入される位置において、上枠１１の長手方向略全長に渡って形成されている。そして、突出片部１１４の下端には、室内外の障子２０Ａ，２０Ｂの上框２１に当接するＡＴ材（上気密材）１１７が設けられている。そして、室外部材１１Ｂの固定片部１１６は、外壁２の壁パネル４にビス止め固定されている。
また、上枠１１における室内部材１１Ａの案内片部１１２と室外部材１１Ｂの突出片部１１４との間には、下方に開口した断面略コ字形のカバー部材１１Ｄが係合されている。
【００２０】
また、図７にも示すように、障子２０の上框２１における框材本体２１Ａは、複層ガラス２５の室内側側面に沿った見付け面部２１１と、この見付け面部２１１の上端（外端）縁から見込み方向室外側に延出する見込み面部２１２とを有し、これらの見付け面部２１１および見込み面部２１２から断面略Ｌ字形のＬ状面材支持部が形成されている。さらに、框材本体２１Ａは、見付け面部２１１の下端部から室内側に延びる下面部２１３と、この下面部２１３の室内側に連続して見付け面部２１１と対向する室内側面部２１４とを有して形成されている。そして、上框２１は、見付け面部２１１と室内側面部２１４との間に挿入された上枠１１の案内片部１１２，１１５に案内されるようになっている。また、見付け面部２１１の上端部には、ＡＴ材２１５が取り付けられており、このＡＴ材２１５は、図３に示すように、室内側障子２０Ａにおいてカバー部材１１Ｄに摺接し、室外側障子２０Ｂにおいて上枠１１の室外部材１１Ｂの案内片部１１５に摺接するようになっている。また、框材本体２１Ａの見込み面部２１２室外側端には、アルミ押出形材製の室外部材２１Ｃが係合して取り付けられている。この室外部材２１Ｃによって、見込み面部２１２の室外側端縁から下方（見付け方向内側）に延びる折返し面部２１６が構成されている。そして、室内側障子２０Ａにおいて折返し面部２１６は、上枠１１の突出片部１１４に設けられたＡＴ材１１７に摺接するようになっている。
【００２１】
上框２１の室内部材２１Ｂは、框材本体２１Ａの下面部２１３に沿って延びる底面部２１７と、この底面部２１７の室内縁から上方に折れ曲がり框材本体２１Ａの室内側面部２１４に沿って延びる側面部２１８とを有し、断面略Ｌ字形に形成されている。この室内部材２１Ｂは、框材本体２１Ａに係合して取り付けられており、室内部材２１Ｂによって框材本体２１Ａが室内側から見えないようになっている。そして、室外側障子２０Ｂにおいて室内部材２１Ｂの側面部２１８は、上枠１１の突出片部１１４に設けられたＡＴ材１１７に摺接するようになっている。
一方、複層ガラス２５は、室内側のガラスパネル２５Ａが框材本体２１Ａの見付け面部２１１に接着テープ３０によって接着されて上框２１に固定されている。そして、複層ガラス２５の上端面（エッジ）と框材本体２１Ａの見込み面部２１２との間には、隙間２１Ｄが形成され、複層ガラス２５の室外側側面と折返し面部２１６との間には、隙間２１Ｅが形成されている。これらの隙間２１Ｄ，２１Ｅは、室外空間に連通されている。
【００２２】
次に、図４に示すように、下枠１２の室内部材１２Ａは、開口部３における下縁の下地材６に載置される支持片部１２１と、この支持片部１２１の上側に設けられて室内側障子２０Ａの戸車２８を案内するレール部１２２と、額縁材７に沿って室内側に延び額縁材７にビス止め固定される固定片部１２３とを有して形成されている。
一方、下枠１２の室外部材１２Ｂは、中空状に形成された下枠本体部１２４と、この下枠本体部１２４から上方に突出して設けられて室外側障子２０Ｂの戸車２８を案内するレール部１２５と、このレール部１２５の室内側側面から上方（見付け方向内側）に突出する突出片部１２６と、下枠本体部１２４の室外側縁から下方に延びる固定片部１２７とを有して形成されている。突出片部１２６は、下枠１２の見込み方向略中央位置である室内外の障子２０Ａ，２０Ｂの間に挿入される位置において、下枠１２の長手方向略全長に渡って形成されている。そして、突出片部１２６の上端には、室内外の障子２０Ａ，２０Ｂの下框２２に当接するＡＴ材（下気密材）１２８が設けられている。そして、室外部材１２Ｂの固定片部１２７は、外壁２の壁パネル４にビス止め固定されている。
また、下枠１２における室内部材１２Ａのレール部１２２と室外部材１２Ｂの下枠本体部１２４上面との間には、カバー部材１２Ｄが係合されている。
【００２３】
また、図７にも示すように、障子２０の下框２２における框材本体２２Ａは、複層ガラス２５の室内側側面に沿った見付け面部２２１と、この見付け面部２２１の下端（外端）縁から見込み方向室外側に延出する見込み面部２２２とを有し、これらの見付け面部２２１および見込み面部２２２から断面略Ｌ字形のＬ状面材支持部が形成されている。そして、框材本体２２Ａは、見込み面部２２２の室外側縁から上方（見付け方向内側）に向かって延びる折返し面部２２３を有している。さらに、框材本体２２Ａは、見付け面部２２１と、見付け面部２２１の上下端部からそれぞれ室内側に延びる水平面部２２４，２２５と、これらの水平面部２２４，２２５の室内側に連続して見付け面部２２１と対向する室内側面部２２６とから形成される中空部２２７を有している。そして、室内側障子２０Ａにおいて折返し面部２２３は、下枠１２の突出片部１２６に設けられたＡＴ材１２８に摺接するようになっている。
【００２４】
下框２２の室内部材２２Ｂは、框材本体２２Ａ上部の水平面部２２４に沿って延びる上面部２２８と、この上面部２２８の室内縁から下方に折れ曲がり框材本体２２Ａの室内側面部２２６に沿って延びる側面部２２９とから断面略Ｌ字形に形成されている。この室内部材２２Ｂは、框材本体２２Ａに係合して取り付けられており、室内部材２２Ｂによって框材本体２２Ａが室内側から見えないようになっている。そして、室外側障子２０Ｂにおいて室内部材２２Ｂの側面部２２９は、下枠１２の突出片部１２６に設けられたＡＴ材１２８に摺接するようになっている。
一方、複層ガラス２５は、室内側のガラスパネル２５Ａが框材本体２２Ａの見付け面部２２１に接着テープ３０によって接着されて下框２２に固定されている。そして、複層ガラス２５の下端面（エッジ）と框材本体２２Ａの見込み面部２２２との間には、隙間２２Ｄが形成され、複層ガラス２５の室外側側面と折返し面部２２３との間には、隙間２２Ｅが形成されている。これらの隙間２２Ｄ，２２Ｅは、室外空間に連通されている。また、見込み面部２２２には、図示しない排水孔が形成されており、複層ガラス２５と框材本体２２Ａとの隙間２２Ｄ，２２Ｅに浸入した雨水等は、排水孔から室外空間に排出されるようになっている。
【００２５】
次に、図５に示すように、縦枠１３の室内部材１３Ａは、開口部３の側縁に沿って見込み方向に延びる見込み片部１３１と、この見込み片部１３１の室内側に連続して額縁材７に沿って室内側に延びる固定片部１３２とを有して形成されている。そして、室内部材１３Ａの固定片部１３２は、額縁材７にビス止め固定されている。
一方、縦枠１３の室外部材１３Ｂは、開口部３の側縁に沿って見込み方向に延びる見込み片部１３３と、この見込み片部１３３の室外側縁から見付け方向外側に延びる固定片部１３４とを有して形成されている。そして、室外部材１３Ｂの固定片部１３４は、外壁２の壁パネル４にビス止め固定されている。
また、図２の左側の縦枠１３において、その見付け方向内側には、室内部材１３Ａと室外部材１３Ｂとに渡ってカバー部材１３Ｄが係合されている。このカバー部材１３Ｄには、室外側障子２０Ｂの室内側に沿って見付け方向に延びる見付け面部１３５が形成されており、この見付け面部１３５によって縦枠１３の見込み方向略中央位置から見付け方向内側に突出する突出片が構成されている。そして、見付け面部１３５の室外側側面には、ＡＴ材（縦気密材）１３６が設けられている。
なお、図２の右側の縦枠１３においては、縦枠１３の見込み方向略中央位置には、室内側障子２０Ａの室外側に沿って見付け方向内側に突出する突出片部１３７が形成され、この突出片部１３７の室内側側面には、ＡＴ材（縦気密材）１３６が設けられている。
これら左右の縦枠１３に設けられたＡＴ材１３６の上下端は、それぞれ上枠１１のＡＴ材（横気密材）１１７および下枠１２のＡＴ材（横気密材）１２８と連続するようになっている。
【００２６】
また、図８にも示すように、障子２０の戸先側の縦框２４における框材本体２４Ａは、複層ガラス２５の室内側側面に沿った見付け面部２４１と、この見付け面部２４１の見付け方向外端縁から見込み方向室外側に延出する見込み面部２４２とを有し、これらの見付け面部２４１および見込み面部２４２から断面略Ｌ字形のＬ状面材支持部が形成されている。さらに、框材本体２４Ａは、見付け面部２４１と、見付け面部２４１の左右から室内側に延びる側面部２４３，２４４と、これらの側面部２４３，２４４の室内側に連続して見付け面部２４１と対向する室内側面部２４５とから形成される中空部２４６を有している。また、框材本体２４Ａの見込み面部２４２室外側端には、アルミ押出形材製の室外部材２４Ｃが係合して取り付けられている。この室外部材２４Ｃによって、見込み面部２４２の室外側端縁から見付け方向内側に延びる折返し面部２４７が構成されている。そして、室内側障子２０Ａにおいて折返し面部２４７は、縦枠１３の突出片部１３７のＡＴ材１３６に当接するようになっている。また、室外側障子２０Ｂにおいては、框材本体２４Ａの室内側面部２４５が縦枠１３のＡＴ材１３６に当接するようになっている。
戸先側の縦框２４の室内部材２４Ｂは、框材本体２４Ａの側面部２４４に沿って見付け面部２４１および室内側面部２４５の見付け方向内端縁に係合して取り付けられている。
【００２７】
一方、図６および図８に示すように、障子２０の召合せ側の縦框２３における框材本体２３Ａは、複層ガラス２５の室内側側面に沿った見付け面部２３１と、この見付け面部２３１の見付け方向外端縁から見込み方向室外側に延出する見込み面部２３２とを有し、これらの見付け面部２３１および見込み面部２３２から断面略Ｌ字形のＬ状面材支持部が形成されている。さらに、框材本体２３Ａは、見付け面部２３１を見付け方向外側に延長した先端に連続して見込み方向に延びる側面部２３３と、見付け面部２３１の見付け方向内側から延びる側面部２３４と、これらの側面部２３３，２３４の室内側に連続して見付け面部２３１と対向する室内側面部２３５とを有して形成されている。そして、框材本体２３Ａには、見付け面部２３１、側面部２３３，２３４、室内側面部２３５から中空部２３６が形成され、見付け面部２３１、見込み面部２３２、側面部２３３から中空部２３７が形成されている。
【００２８】
また、室外側障子２０Ｂにおける框材本体２３Ａの見込み面部２３２室外側端には、アルミ押出形材製の室外部材２３Ｃが係合して取り付けられている。この室外部材２３Ｃによって、見込み面部２３２の室外側端縁から見付け方向内側に延びる折返し面部２３８が構成されている。そして、縦框２３の室内部材２３Ｂは、框材本体２３Ａの側面部２３４に沿って見付け面部２３１および室内側面部２３５の見付け方向内端縁に係合して取り付けられている。さらに、室内側障子２０Ａにおける框材本体２３Ａには、室内側面部２３５、側面部２３３、および室外側側面を覆って断面略コ字形樹脂製の室内部材２３Ｆが係合されている。
また、室外側障子２０Ｂにおける框材本体２３Ａの室内側面部２３５には、室内側に突出してＡＴ材（縦気密材）２３９が取り付けられており、このＡＴ材２３９は、室内側障子２０Ａの複層ガラス２５室外面に当接するようになっている。さらに、ＡＴ材２３９の上下端は、それぞれ上枠１１のＡＴ材（横気密材）１１７および下枠１２のＡＴ材（横気密材）１２８と摺接するようになっている。
【００２９】
一方、複層ガラス２５は、室内側のガラスパネル２５Ａが縦框２３，２４の框材本体２３Ａ，２４Ａの見付け面部２３１，２４１に接着テープ３０によって接着されて縦框２３，２４に固定されている。そして、複層ガラス２５の両側端面（エッジ）と框材本体２３Ａ，２４Ａの見込み面部２３２，２４２との間には、隙間２３Ｄ，２４Ｄが形成されている。さらに、室内外の障子２０Ａ，２０Ｂの戸先側の縦框２４、および室外側障子２０Ｂの召合せ側の縦框２３において、複層ガラス２５の室外側側面と折返し面部２３８，２４７との間には、隙間２３Ｅ，２４Ｅが形成されている。これらの隙間２３Ｄ，２３Ｅ，２４Ｄ，２４Ｅは、室外空間に連通されている。
【００３０】
以上のように、複層ガラス２５は、その四周端縁部の室内面が上框２１、下框２２、および左右の縦框２３，２４の框材本体２１Ａ，２２Ａ，２３Ａ，２４Ａにおける見付け面部２１１，２２１，２３１，２４１に接着テープ３０で接着固定されている。そして、接着テープ３０は、上下左右の各框２１，２２，２３，２４に四周連続して貼付けられている。このため、各框２１，２２，２３，２４と複層ガラス２５との間は、接着テープ３０によりシールされ、障子２０の気密性、水密性が確保されている。また、接着テープ３０は、弾性材料から形成され、伸び変形およびせん断変形可能になっている。そして、接着テープ３０の厚さ寸法は、各框２１，２２，２３，２４と複層ガラス２５との熱伸び量の差を接着テープ３０の弾性変形により吸収できるように設定されている。
【００３１】
以上のように構成された引違い窓１において、障子２０を閉じれば、室内側障子２０Ａにおける戸先側の縦框２４の折返し面部２４７と縦枠１３のＡＴ材１３６とが当接し、室外側障子２０Ｂにおける戸先側の縦框２４の室内側面部２４５と縦枠１３のＡＴ材１３６とが当接する。さらに、室外側障子２０Ｂの召合せ側の縦框２３のＡＴ材２３９が室内側障子２０Ａの複層ガラス２５室外面に当接し、上枠１１のＡＴ材１１７が室内側障子２０Ａにおける上框２１の折返し面部２１６および室外側障子２０Ｂにおける上框２１の室内部材２１Ｂに当接し、下枠１２のＡＴ材１２８が室内側障子２０Ａにおける下框２２の折返し面部２２３および室外側障子２０Ｂにおける下框２２の室内部材２２Ｂに当接している。このように縦横の気密ラインが形成されることにより、引違い窓１の気密性および水密性が確保されるようになっている。
【００３２】
さらに、クレセント２７により引違い窓１を施錠した状態では、室内側障子２０Ａおよび室外側障子２０Ｂが互いに引き寄せられる。これにより前記各ＡＴ材１３６，２３９，１１７，１２８が、それぞれ戸先側の縦框２４、召合せ側の縦框２３、上框２１、および下框２２に強く密接され、引違い窓１の気密性および水密性が向上されるようになっている。
また、クレセント２７による施錠を解除すれば、各ＡＴ材１３６，２３９，１１７，１２８の密接状態が開放され、室内外の障子２０Ａ，２０Ｂの開閉操作を軽い力で実行できるようになっている。
【００３３】
このような本実施形態によれば、以下のような効果がある。
（１）すなわち、障子２０において、上框２１、下框２２、および左右の縦框２３，２４の框材本体２１Ａ，２２Ａ，２３Ａ，２４Ａにおける見付け面部２１１，２２１，２３１，２４１に複層ガラス２５の四周を接着して複層ガラス２５を固定したので、従来の障子における框材のようにビス止めにより框組みする必要がなく、接着力によって上下左右の各框２１，２２，２３，２４および複層ガラス２５を一体化することができ、障子２０の組立工程を簡略化してコストダウンを図ることができる。
さらに、各框２１，２２，２３，２４および複層ガラス２５が接着により一体化されることで、ガスケットを介して面材が框材に支持される従来の障子と比較して、障子２０の面内剛性が飛躍的に向上されて開閉時等のがたつきを防止することができる。
【００３４】
（２）また、框材本体２１Ａ，２２Ａ，２３Ａ，２４Ａにおける見込み面部２１２，２２２，２３２，２４２と、複層ガラス２５の四周端面（エッジ）との間に隙間２１Ｄ，２２Ｄ，２３Ｄ，２４Ｄが設けられ、この隙間２１Ｄ，２２Ｄ，２３Ｄ，２４Ｄと室外空間とが連通されていることで、隙間２１Ｄ，２２Ｄ，２３Ｄ，２４Ｄに雨水等が浸入したとしても、浸入した雨水等が即座に室外に排出される、あるいは蒸発して室外空間に発散するので、複層ガラス２５の端面部分が湿気に曝されることがない。従って、複層ガラス２５の端面部分を乾燥させておくことができるので、連結シール材２５Ｄの劣化を防止することができる。
さらに、複層ガラス２５の四周端面に沿って見込み面部２１２，２２２，２３２，２４２が配置されるので、見込み面部２１２，２２２，２３２，２４２がカバー材として機能し、風雨や直射日光から複層ガラス２５の端面（エッジ）を保護することができる。
【００３５】
（３）さらに、複層ガラス２５が上框２１、下框２２、および左右の縦框２３，２４に四周連続して貼付けられた接着テープ３０で接着固定されているので、通常の接着剤を用いて接着する場合と比較して接着作業が簡単にできるとともに、接着と同時に各框２１，２２，２３，２４と複層ガラス２５との間のシールが完了するため、障子２０の組立工程をより一層簡略化することができる。
【００３６】
（４）また、障子２０の各框２１，２２，２３，２４の室外側に折返し面部２１６，２２３，２３８，２４７を設け、これらの折返し面部２１６，２２３，２３８，２４７によって複層ガラス２５の四周室外側端縁が覆われることで、複層ガラス２５の四周端面と各框２１，２２，２３，２４との隙間２１Ｄ，２２Ｄ，２３Ｄ，２４Ｄに雨水等が浸入するのを防止することができるとともに、室外側から見た場合の障子２０の外観を良好にすることができる。
【００３７】
（５）さらに、折返し面部２１６，２２３，２３８，２４７と複層ガラス２５の室外面との間に隙間２１Ｅ，２２Ｅ，２３Ｅ，２４Ｅを設けることで、複層ガラス２５の端面部分と室外空間との連通を阻害することがないため、前述のように面材の端面部分を乾燥させておくことができる。
そして、折返し面部２１６，２２３，２３８，２４７は、複層ガラス２５を支持するものではないため、従来の障子における框材の見付け寸法よりも折返し面部２１６，２２３，２３８，２４７の見付け寸法を小さくするとともに、折返し面部２１６，２２３，２３８，２４７と複層ガラス２５との段差を小さくすることが可能であり、各框２１，２２，２３，２４を目立たせずにフラット感を強調して外観意匠性に優れた障子２０を形成することができる。
【００３８】
（６）また、上下左右の各框２１，２２，２３，２４のうちの上框２１および左右の縦框２３，３４における折返し面部２１６，２３８，２４７が框材本体２１Ａ，２３Ａ，２４Ａに対して着脱可能になっているので、障子２０の組立の際に、上および左右の折返し面部２１６，２３８，２４７を取り外しておくことで容易に複層ガラス２５を各框２１，２２，２３，２４の見付け面部２１１，２２１，２３１，２４１に接着固定することができる。
【００３９】
（７）さらに、上下左右の各框２１，２２，２３，２４のうちの下框２２および左右の縦框２３，２４における框材本体２２Ａ，２３Ａ，２４Ａに中空部２２７，２３６，２３７，２４６が形成されていることで、下框２２および縦框２３，２４の剛性および強度を向上させることができる。特に、下框２２に中空部２２７を形成したことで障子２０の自重を確実に支持することができ、縦框２３，２４に中空部２３６，２３７，２４６を形成したことで風圧にたいする強度を高めることができる。
また、下框２２や戸先側の縦框２４のように、見付け面部２２１，２４１の室内側に中空部２２７，２４６を形成するようにすれば、框材の見付け寸法が拡大することなく框材の剛性および強度が高められるので、障子２０の外観意匠性をさらに向上させることができる。
【００４０】
〔第２実施形態〕
次に、本発明の第２実施形態に係る建具である内倒し窓１Ａについて、図９および図１０に基づいて説明する。
図９および図１０は、それぞれ内倒し窓１Ａを示す縦断面図および横断面図である。
内倒し窓１Ａは、それぞれアルミ押出形材製の上枠５１、下枠５２、および左右の縦枠５３を四周枠組みした窓枠（枠体）５０と、この窓枠５０の内側に開閉自在に支持された障子６０とを備えて構成されている。障子６０は、それぞれアルミ押出形材製の上框６１、下框６２、および左右の縦框６３と、これら上下左右の框（各框材）６１〜６３に固定された複層ガラス６５とを備えて構成されている。そして、障子６０は、その下框６２が下枠５２に軸支され、上框６１側が室内側に所定の角度まで倒れて開くようになっている。障子６０の上框６１には、取手を兼ねた錠部材６６が取り付けられており、上框６１を室外側に付勢することにより錠部材６６のボルトが上枠５１に係止され、障子６０が閉じるようになっている。
【００４１】
上枠５１は、下方（見付け方向内側）に突出する２つの突出片部５１１，５１２を有して形成されている。これらの突出片部５１１，５１２には、それぞれＡＴ材（横気密材）５１３，５１４が取り付けられている。
下枠５２は、上方に突出して障子６０の下框６２を軸支する支持片部５２１と、上方（見付け方向内側）に突出する突出片部５２２とを有して形成されている。突出片部５２２には、ＡＴ材（横気密材）５２３が取り付けられている。
左右の縦枠５３は、見付け方向内側に突出する２つの突出片部５３１，５３２を有して形成されている。これらの突出片部５３１，５３２には、それぞれＡＴ材（縦気密材）５３３，５３４が取り付けられている。
以上のＡＴ材５１３，５３３は、上および左右の三辺に連続して設けられ、ＡＴ材５１４，５２３，５３４は、上下左右の四周に連続して設けられている。
【００４２】
上框６１は、複層ガラス２５の室内側側面に沿った見付け面部６１１と、この見付け面部６１１の上端（外端）縁から見込み方向室外側に延出する見込み面部６１２とを有し、これらの見付け面部６１１および見込み面部６１２から断面略Ｌ字形のＬ状面材支持部が形成されている。そして、上框６１は、見付け面部６１１の室内側に形成される中空部６１３を有している。また、複層ガラス６５は、上框６１の見付け面部６１１に接着テープ３０によって接着されて上框６１に固定されている。そして、複層ガラス６５の上端面（エッジ）と上框６１の見込み面部６１２との間には、室外空間に連通された隙間６１Ａが形成されている。また、上框６１の上面が上枠５１のＡＴ材５１３に当接し、見込み面部６１２の室外側端縁に連続した上框６１の室外側面が上枠５１のＡＴ材５１４に当接するようになっている。
【００４３】
下框６２は、複層ガラス２５の室内側側面に沿った見付け面部６２１と、この見付け面部６２１の下端（外端）縁から見込み方向室外側に延出する見込み面部６２２とを有し、これらの見付け面部６２１および見込み面部６２２から断面略Ｌ字形のＬ状面材支持部が形成されている。そして、下框６２は、見付け面部６２１の室内側に形成される中空部６２３を有している。また、複層ガラス６５は、下框６２の見付け面部６２１に接着テープ３０によって接着されて下框６２に固定されている。そして、複層ガラス６５の下端面（エッジ）と下框６２の見込み面部６２２との間には、室外空間に連通された隙間６２Ａが形成されている。また、見込み面部６２２の室外側端縁に連続した下框６２の室外側面が下枠５２のＡＴ材５２３に当接するようになっている。
【００４４】
縦框６３は、複層ガラス２５の室内側側面に沿った見付け面部６３１と、この見付け面部６３１の見付け方向外端縁から見込み方向室外側に延出する見込み面部６３２とを有し、これらの見付け面部６３１および見込み面部６３２から断面略Ｌ字形のＬ状面材支持部が形成されている。そして、縦框６３は、見付け面部６３１の室内側に形成される中空部６３３と、見付け方向外側に突出した当接片部６３４とを有している。また、複層ガラス６５は、縦框６３の見付け面部６３１に接着テープ３０によって接着されて縦框６３に固定されている。そして、複層ガラス６５の側端面（エッジ）と縦框６３の見込み面部６３２との間には、室外空間に連通された隙間６３Ａが形成されている。また、縦框６３の当接片部６３４が縦枠５３のＡＴ材５３３に当接し、見込み面部６３２の室外側端縁に連続した縦框６３の室外側面が縦枠５３のＡＴ材５３４に当接するようになっている。
【００４５】
このような本実施形態によれば、前述の（１）〜（３）効果と略同様の効果を備えた内倒し窓１Ａを構成することができるとともに、以下のような効果がある。
（８）すなわち、上下左右の各框６１，６２，６３の全てに中空部６１３，６２３，６３３が形成されていることで、障子６０の剛性および強度を向上させることができる。
【００４６】
なお、本発明は、前記各実施形態に限定されるものではなく、本発明の目的を達成できる他の構成等を含み、以下に示すような変形等も本発明に含まれる。
例えば、前記各実施形態では、引違い窓１および内倒し窓１Ａを例示して説明したが、本発明の建具は、片引き窓や、開き窓、辷り出し窓、嵌め殺し窓等の各種形式のサッシ窓であってもよく、またサッシ窓に限らず、引き戸や開き戸等の各種出入り口であってもよい。
【００４７】
また、前記各実施形態では、複層ガラス２５，６５の各框２１，２２，２３，２４，６１，６２，６３への接着に、接着テープ３０を用いたが、これに限らず、通常の接着剤を用いてもよい。
また、前記各実施形態では、各框２２，２３，２４，６１，６２，６３に中空部２２７，２３６，２３７，２４６，６１３，６２３，６３３を形成したが、このような中空部は本発明の必須要件ではなく、省略することができる。ただし、框材に中空部を形成することにより、框材の見付け寸法や見込み寸法を抑えつつ剛性や強度を高めることができるという利点がある。
また、前記第１実施形態では、各框２１，２２，２３，２４の室外側に折返し面部２１６，２２３，２３８，２４７を設けたが、このような折返し面部は本発明の必須要件ではなく、省略することができる。
【００４８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４９】
【図１】本発明の第１実施形態に係る建具である引違い窓を示す縦断面図である。
【図２】前記引違い窓を示す横断面図である。
【図３】前記引違い窓の上枠部分を拡大して示す縦断面図である。
【図４】前記引違い窓の下枠部分を拡大して示す縦断面図である。
【図５】前記引違い窓の縦枠部分を拡大して示す横断面図である。
【図６】前記引違い窓の縦枠部分を拡大して示す横断面図である。
【図７】前記引違い窓の障子を拡大して示す縦断面図である。
【図８】前記引違い窓の障子を拡大して示す横断面図である。
【図９】本発明の第２実施形態に係る建具である内倒し窓を示す縦断面図である。
【図１０】前記内倒し窓を示す横断面図である。
【符号の説明】
【００５０】
１…建具である引違い窓、１Ａ…建具である内倒し窓、１０，５０…枠体である窓枠、１１，５１…上枠、１２，５２…下枠、１３，５３…縦枠、２０，６０…障子、２１，６１…上框、２２，６２…下框、２３，２４，６３…縦框、２５，６５…面材である複層ガラス、２５Ａ，２５Ｂ…パネル材であるガラスパネル、２５Ｃ…空気層、２５Ｄ…連結シール材、３０…接着テープ、２１Ｄ，２２Ｄ，２３Ｄ，２４Ｄ，６１Ａ，６２Ａ，６３Ａ…隙間、１１４，１２６，１３７…突出片部、１１７…上気密材であるＡＴ材、１２８…下気密材であるＡＴ材、１３６，２３９…縦気密材であるＡＴ材、２１１，２２１，２３１，２４１，６１１，６２１，６３１…見付け面部、２１２，２２２，２３２，２４２，６１２，６２２，６３２…見込み面部、２１６，２２３，２３８，２４７…折返し面部、２２７，２３６，２３７，２４６，６１３，６２３，６３３…中空部。
【図１】
2006057349.tif 000003
【図２】
2006057349.tif 000004
【図３】
2006057349.tif 000005
【図４】
2006057349.tif 000006
【図５】
2006057349.tif 000007
【図６】
2006057349.tif 000008
【図７】
2006057349.tif 000009
【図８】
2006057349.tif 000010
【図９】
2006057349.tif 000011
【図１０】
2006057349.tif 000012